(57)【要約】【課題】衝撃力が作用した場合にカムフォロアとカム溝との係合が外れにくく、鏡枠の大型化が避けられるレンズ鏡筒を提供する。【解決手段】レンズ鏡筒１は、光軸方向の前方側に第一のテーパ角θ１を有した前方側テーパ面１６ｃ１と、光軸と直交する方向に該第一のテーパ面と同一の位置の光軸方向の後方側に第二のテーパ角θ２を有する後方側テーパ面１６ｃ２とをもつカムフォロア１６ｃを有する後移動枠１６と、互いに対向する一対の側壁面を有し、上記カムフォロアと係合し摺接するカム溝であって、光軸方向前方側カム面である前方側テーパ面１６ｃ１と摺接する前方側カム斜面１３ｃ１と、光軸方向後方側カム面である後方側テーパ面１６ｃ２と摺接する後方側カム斜面１３ｃ２とでなるカム溝１３ｃを有するカム枠１３とを具備しており、角度θ１は、角度θ２より小さい。【選択図】図１３
2010026322.tif 000002
【特許請求の範囲】
【請求項１】
光軸方向の前方側に第一のテーパ角を有した第一のテーパ面と、光軸と直交する方向に該第一のテーパ面と同一の位置の光軸方向の後方側に第二のテーパ角を有する第二のテーパ面とを有したカムフォロアを有する第一の枠と、
互いに対向する一対の側壁面を有し上記カムフォロアと係合し摺接するカム溝であって、一対の側壁面の一方の光軸方向前方側カム面である上記第一のテーパ面と摺接する第一のカム斜面と、一対の側壁面の他方の光軸方向後方側カム面である上記第二のテーパ面と摺接する第二のカム斜面とでなるカム溝を有する第二の枠と、
を具備することを特徴としたレンズ鏡筒。
【請求項２】
上記第一のテーパ角は、上記第二のテーパ角より小さいことを特徴とする請求項１に記載のレンズ鏡筒。
【請求項３】
上記第二のテーパ角は、上記第一のテーパ角より小さいことを特徴とする請求項１に記載のレンズ鏡筒。
【請求項４】
上記第二のカム斜面の光軸に向かう方向への壁面長さは、上記第一のカム斜面の光軸に向かう方向への壁面長さより長いことを特徴とする請求項１乃至３のいづれかに記載のレンズ鏡筒。
【請求項５】
カムフォロアを有する第一の枠と、
互いに対向する一対の側壁面を有し上記カムフォロアと係合し摺接するカム溝であって、一対の側壁面の一方の光軸方向前方側カム面である第一のカム斜面と、一対の側壁面の他方の光軸方向後方側カム面である第二のカム斜面とでなり、上記第二のカム斜面の光軸に向かう方向への壁面長さは、上記第一のカム斜面の光軸に向かう方向への壁面長さより長いカム溝を有する第二の枠と、
を具備することを特徴としたレンズ鏡筒。
【請求項６】
上記カムフォロアは、光軸方向の前方側に第一のテーパ角を有した第一のテーパ面と、光軸と直交する方向に該第一のテーパ面と同一の位置の光軸方向の後方側に第二のテーパ角を有する第二のテーパ面とを有しており、上記第一のテーパ角は、上記第二のテーパ角より小さいことを特徴とする請求項４に記載のレンズ鏡筒。
【発明の詳細な説明】
【技術分野】
【０００１】
本発明は、カムフォロアとカム溝を適用した枠部材進退駆動機構を備えるレンズ鏡筒に関する。
【背景技術】
【０００２】
従来のカメラ等の撮像装置に組み込まれるレンズ鏡筒であって、対となる枠部材に設けられるカムフォロアとカム溝を適用する枠部材進退駆動機構を備えたものに対して落下等による衝撃力が作用した場合、係合状態にある上記カムフォロアとカム溝が上記衝撃力を受ける。一方、上記カム溝の摺接面（カム面）は、通常、枠部材の成形時の型抜きのためにレンズ光軸と直交する方向（ラジアル方向）に対して傾斜角が付けられている。カムフォロアの摺接面も上記カム溝の傾斜角に対応した面を有している。従って、上述のように衝撃力が作用した場合、カムフォロア、または、カム溝を支持する枠部材が径方向に変形し、上記衝撃力の大きさによっては、その係合が外れ、カムフォロアとカム溝とが離脱するおそれがあった。
【０００３】
そこで、上記カムフォロアとカム溝との離脱を防止するものとして特許文献１に開示されたレンズ鏡筒には、カム溝として光軸方向前側と後側で傾斜角度の異なるカム面を形成、衝撃力が作用しやすい側のカム面を傾斜角を急峻とする。対応するカムフォロアには、二段に形成された傾斜角の異なる摺接面を形成する。このようなカム溝とカムフォロアを適用することにより、カム溝とカムフォロアとの離脱を防止している。
【０００４】
また、特許文献２に開示されたレンズ鏡筒のカム溝とカムフォロアからなる枠進退機構においては、カムフォロアの摺接面下部にエッジ部をもつＶ字溝が設けらている。衝撃力が作用した場合、該Ｖ字溝のエッジ部がカム溝の摺接面に食い込むことによってカム溝からのカムフォロアの離脱が防止される。
【特許文献１】特開２００３−０１５０１３号
【特許文献２】特開２０００−１３１５８８号
【発明の開示】
【発明が解決しようとする課題】
【０００５】
しかし、上記特許文献１に開示されたレンズ鏡筒の上記カム溝は、上記カムフォロアの二段に形成された傾斜角の異なる摺接面に対応して鏡筒の径方向に深い摺接面を必要とすることから上記カム溝が形成される枠部材の外径が大きくなることが避けられない。
【０００６】
また、上記特許文献２に開示されたレンズ鏡筒の場合、上記カムフォロアの上記カム溝への食い込みが可能である必要である。言い換えると、例えば、カムフォロア側が金属製であって、カム溝側が合成樹脂で成形されている必要があって、枠部材の材料に制限がある。
【０００７】
本発明は、上述の問題を解決するためになされたものであり、カムフォロアとカム溝を適用する進退駆動機構を備えたレンズ鏡筒において、衝撃力が作用した場合にカムフォロアとカム溝との係合が外れにくく、鏡枠の大型化が避けられるレンズ鏡筒を提供することを目的とする。
【課題を解決するための手段】
【０００８】
本発明の請求項１記載のレンズ鏡筒は、光軸方向の前方側に第一のテーパ角を有した第一のテーパ面と、光軸と直交する方向に該第一のテーパ面と同一の位置の光軸方向の後方側に第二のテーパ角を有する第二のテーパ面とを有したカムフォロアを有する第一の枠と、互いに対向する一対の側壁面を有し上記カムフォロアと係合し摺接するカム溝であって、一対の側壁面の一方の光軸方向前方側カム面は上記第一のテーパ面と摺接する第一のカム斜面と、一対の側壁面の他方の光軸方向後方側カム面は上記第二のテーパ面と摺接する第二のカム斜面とでなるカム溝を有する第二の枠とを具備する。
【０００９】
本発明の請求項２記載のレンズ鏡筒は、請求項１に記載のレンズ鏡筒において、上記第一のテーパ角は、上記第二のテーパ角より小さい。
【００１０】
本発明の請求項３記載のレンズ鏡筒は、請求項１に記載のレンズ鏡筒において、上記第二のテーパ角は、上記第一のテーパ角より小さい。
【００１１】
本発明の請求項４記載のレンズ鏡筒は、請求項１乃至３のいづれかに記載のレンズ鏡筒において、上記第二のカム斜面の光軸に向かう方向への壁面長さは、上記第一のカム斜面の光軸に向かう方向への壁面長さより長い。
【００１２】
本発明の請求項５記載のレンズ鏡筒は、カムフォロアを有する第一の枠と、互いに対向する一対の側壁面を有し上記カムフォロアと係合し摺接するカム溝であって、一対の側壁面の一方の光軸方向前方側カム面である第一のカム斜面と、一対の側壁面の他方の光軸方向後方側カム面である第二のカム斜面とでなり、上記第二のカム斜面の光軸に向かう方向への壁面長さは、上記第一のカム斜面の光軸に向かう方向への壁面長さより長いカム溝を有する第二の枠とを具備する。
【００１３】
本発明の請求項６記載のレンズ鏡筒は、請求項４に記載のレンズ鏡筒において、上記カムフォロアは、光軸方向の前方側に第一のテーパ角を有した第一のテーパ面と、光軸と直交する方向に該第一のテーパ面と同一の位置の光軸方向の後方側に第二のテーパ角を有する第二のテーパ面とを有しており、上記第一のテーパ角は、上記第二のテーパ角より小さい。
【発明の効果】
【００１４】
本発明によれば、カムフォロアとカム溝を適用する進退駆動機構を備えたレンズ鏡筒において、衝撃力が作用した場合にカムフォロアとカム溝との係合が外れにくく、鏡枠の大型化も避けられるレンズ鏡筒を提供することができる。
【発明を実施するための最良の形態】
【００１５】
以下、図を用いて本発明の実施形態について説明する。
【００１６】
図１は、本発明の一実施形態であるレンズ鏡筒の正面図（被写体側から見た図）である。図２は、上記レンズ鏡筒のワイド状態における図１のＡ−Ｏ−Ａ断面図であり、図３は、同じくワイド状態での図１のＢ−Ｏ−Ｂ断面を示し、図４は、同じくワイド状態での図１のＣ−Ｏ−Ｃ断面（Ｃ−Ｏ−Ｂ断面）を示している。図５は、上記レンズ鏡筒のマウントおよび電装部材を外した状態を結像側から見た図である。図６は、図５のＤ−Ｏ−Ｄ断面図である。図７は、上記レンズ鏡筒の主要部材の分解斜視図である。図８は、上記レンズ鏡筒の後一群枠と駆動環とを結像側から見た分解斜視図である。図９は、上記レンズ鏡筒の前カバー、後カバーおよび外枠を結像側から見た斜視図である。図１０は、上記レンズ鏡筒の前カバー、後カバーと外枠と分解状態の後移動枠とを前方から見た斜視図である。図１１は、上記レンズ鏡筒の前一群枠と外一群枠の分解斜視図である。図１２は、上記レンズ鏡筒の外一群枠と前移動枠の分解斜視図である。
【００１７】
なお、本実施形態のレンズ鏡筒の撮影レンズ群の光軸を図中「Ｏ」で示し、以下の説明において、光軸Ｏ方向の被写体側Ｚ０を前方とし、結像側Ｚ１を後方とする。回転方向は、被写体側（前方側）から見た回転方向で示す。また、以下の説明で径嵌合状態とは、当該する部材の内、外径部を嵌合させて上記当該部材を固定支持、または、摺動可能に支持する状態である。
【００１８】
本実施形態のレンズ鏡筒１は、図２，７等に示すように固定枠２と、該固定枠２に対して後端側外周部に径嵌合状態で固定支持される外枠３と、外枠３の外周部に径嵌合状態で固定支持される枠部材として前カバー４、中カバー５、後カバー６と、固定枠２の後端部に固着されるマウント７と、外枠３の外周部に径嵌合し、回転操作可能に支持されるズーム環１１と、外枠３と中カバー５に径嵌合し、回転操作可能に支持される距離環１２と、固定枠２の外周部に径嵌合し、回転可能に支持されるカム枠１３とを備えている。
【００１９】
さらに、レンズ鏡筒１は、固定枠２の外周部に径嵌合し、回転規制状態で光軸Ｏ方向に進退移動する前移動枠１５と、前移動枠１５と径嵌合し、一体結合される後移動枠１６と、固定枠２の内周部に径嵌合し、回転可能で光軸Ｏ方向の移動が規制された駆動環２３と、固定枠２の内周部に径嵌合し、回転および光軸Ｏ方向移動可能な後一群枠１９と、後一群枠１９に径嵌合し、回転規制状態で光軸Ｏ方向に進退可能な外一群枠１８と、外一群枠１８と径嵌合し、一体係合される前一群枠１７と、固定枠２の内周部に径嵌合し、回転規制状態で光軸Ｏ方向に進退可能な二群枠２５と、二群枠２５の前面部に装着される絞りユニット２６と、絞り駆動モータ２７と、フォーカス駆動モータ２８と、撮影光学系である撮影レンズとして前一群枠１７に保持される前一群レンズ４１、後一群枠１９に保持される後一群レンズ４２、二群枠２５に保持される二群レンズ４３とを備えている。
【００２０】
マウント７は、固定枠２の後端部にビス６５により固着されるが、その接合面には補正座金３５が挿入される。補正座金３５の厚みを調整することによりレンズ鏡筒１と該レンズ鏡筒１が装着される一眼レフカメラ（以下、カメラと記載する）の撮像素子の光電変換面（結像面）との間隔が適正距離に調整される。
【００２１】
前カバー４は、外枠３の先端部外周に径嵌合して飾りリング５１を挟んだ状態で固着される。前カバー４の前方には凹部４ａが設けられており、リング状の防塵モルト３２が装着されている。
【００２２】
距離環１２には内周部にスリット板（図示せず）が固着されており、また、該スリット板の回転を検出するフォトリフレクタ（図示せず）が外枠３に支持されている。距離環１２の回転は、上記フォトリフレクタで検出され、その検出信号は、レンズ鏡筒１が装着されたカメラに伝達される。上記カメラ側の制御部は、上記検出信号に基づいた距離環の操作によるフォーカシング駆動信号、または、ＡＦ合焦のためのフォーカシング駆動信号をレンズ鏡筒１側に出力し、フォーカス駆動モータ２８を駆動し、フォーカシングを行わせる。
【００２３】
カム枠１３は、円筒形状の枠部材であり、固定枠２に対して円周方向および径方向の一部に盛り上がったリブ形状の凸部２ｂと、カム枠１３の後端内周面に設けられた円周溝である凹部１３ｂを係合させた状態でバヨネット結合しており、固定枠２によって光軸Ｏ方向の移動が規制され、かつ、光軸Ｏまわりに回転可能に支持されている。カム枠１３の内周部に３本のカム溝１３ｃと３本の二群枠用カム溝１３ｄとが設けられている。また、カム枠１３の後端部外周にはビス６３によりズームピン３６が固着されている。
【００２４】
ズームピン３６はズーム環１１の係合穴に嵌合しており、ズーミング動作時におけるズーム環１１の回転操作によってズームピン３６を介してカム枠１３が回転駆動される。
【００２５】
カム枠１３と固定枠２との光軸Ｏ方向接合部には、ズームバネ２２が挿入されている。ズームバネ２２は、リング状板バネ部材であり、僅かに光軸Ｏ方向に湾曲した形状を有しており、組み付け状態では、ズームバネ２２によりカム枠１３を固定枠２に対して光軸Ｏ方向に押圧し、カム枠１３を光軸Ｏ方向にガタのない状態に保持する。同時にカム枠１３を介してズーム環１１に適正な回転摩擦力が与える。
【００２６】
前移動枠１５は、リング状の枠部材であり、後方内周部に３つのカムフォロア１５ｄと、光軸Ｏ方向に挿通する３つのビス挿通穴１５ａと、３つの切り欠き状ガイド溝１５ｅとが設けられている。
【００２７】
後移動枠１６は、リング状の枠部材であり、後方外周部に３つのカムフォロア１６ｃと、外周部に突出する３つの突起１６ｂと、前面部に３つのビス穴（ネジ穴）１６ａとが設けられている。
【００２８】
前移動枠１５の後方外周部と後移動枠１６の内周部とを径嵌合させて組み付け、後移動枠１６と前移動枠１５の光軸Ｏ方向接合部、すなわち、各ビス挿通穴１５ａとビス穴１６ａとの間に後述する３つのＺＰ補正座金３４を介在させた状態とし、３本のビス６２をビス挿通穴１５ａに挿通させ、ビス穴１６ａに螺着して後移動枠１６と前移動枠１５とを一体化する。なお、前移動枠１５の前面側凹部には、後述する前飾り板２９との隙間からの塵埃の侵入を防止するための防塵ゴム３１が挿入されている。
【００２９】
後移動枠１６は、後方部が外枠３の内周部に挿入され、組み立てのための突起１６ｂを外枠３の直進溝３ｃに嵌入させ、さらに、カムフォロア１６ｃをカム枠１３の内周部のカム溝１３ｃに係合させ、同時に固定枠２の被写体側（光軸Ｏ前方側）に開放され、光軸Ｏと平行に設けられたキー溝２ｆと、前移動枠１５に設けられたカムフォロアの根本部に形成されたキー部１５ｆとを嵌合して取り付ける（図７，１０）。従って、後移動枠１６は、前移動枠１５とともに固定枠２、外枠３により回転規制された状態でカム枠１３の回転にともない光軸Ｏ方向に進退駆動される。
【００３０】
なお、ＺＰ補正座金３４は、異なる厚みを有する座金であり、その厚さを選択して組み付けることによりカム枠１３に対する前一群レンズ４１および後一群レンズ４２の光軸Ｏ方向の位置を調整して、ズーミングによる合焦位置のずれを最小限にするためのものである。
【００３１】
また、カム枠１３のカム溝１３ｃとそれに係合する後移動枠１６のカムフォロア１６ｃとは耐衝撃性を改善する形状構造を有しており、その詳細な形状については後で説明する。
【００３２】
前一群枠１７は、リング状枠の部材であって、前一群レンズ４１を保持しており、前面部には、両面テープ５２により前飾り板２９が固着される。また、光軸Ｏ方向に挿通する３つのビス挿通穴１７ａと位置決めピン１７ｂを有している。
【００３３】
外一群枠１８は、リング状の枠部材であって、外方部に３つのビス穴（ネジ穴）１８ａと、前面部に３つのピン穴１８ｂとを有し、内周部に３つのカムフォロア１８ｃを有し、後面部に回転規制ピン１８ｅを有している。
【００３４】
前一群枠１７の後方外周部と外一群枠１８の内周部とを径嵌合させ、位置決めピン１７ｂをピン穴１８ｂに嵌入させて組み付け（図１１）、前一群枠１７と外一群枠１８の光軸Ｏ方向接合部、すなわち、各ビス挿通穴１７ａとビス穴１８ａとの間に後述する３つの湾曲補正座金３３を挟み込む。そして、３本のビス６１をビス挿通穴１７ａに挿通させ、ビス穴１８ａに螺着して前一群枠１７と外一群枠１８とを一体化する。
【００３５】
なお、湾曲補正座金３３は、異なる厚みを有する座金であり、その厚さを選択して組み付けることにより後一群レンズ４２に対する前一群レンズ４１の光軸Ｏ方向の位置を調節して、湾曲補正および像面の傾きに起因する片ぼけの補正を行うための座金である。
【００３６】
また、前一群枠１７と外一群枠１８とは位置決めピン１７ｂをピン穴１８ｂに嵌入させているので、ビス６１挿入前、前一群枠１７と外一群枠１８との回転位置ずれがなく、組み立てが容易である。
【００３７】
後一群枠１９は、リング状の枠部材であって、後一群レンズ４２を保持しており、後方に突出する突起部１９ａを有し、突起部１９ａにはキー溝１９ｂが設けられる。また、外周部前方側に３本の外一群枠用カム溝１９ｃと、外周部後方側に３本の前移動枠用カム溝１９ｄとが設けられる。
【００３８】
後一群枠１９の組み付け状態では、後一群枠１９の外一群枠用カム溝１９ｃに外一群枠１８のカムフォロア１８ｃを係合させ、前移動枠用カム溝１９ｄには前移動枠１５のカムフォロア１５ｄを係合させる。さらに、後述する駆動キー２４がキー溝１９ｂに摺動可能に嵌入し、駆動キー２４により回転駆動される状態で進退可能に支持される。
【００３９】
なお、カム溝１９ｃとカムフォロア１８ｃ、および、カム溝１９ｄとカムフォロア１５ｄとは、耐衝撃性を改善する形状構造を有しており、その詳細な形状については後で説明する。
【００４０】
前一群枠１７と一体結合された外一群枠１８は、後方内周部を後一群枠１９の外周部に径嵌合させ、かつ、回転規制ピン１８ｅを前移動枠１５のガイド溝１５ｅに嵌入させ、光軸Ｏ方向進退可能で回転規制された状態で支持される（図１２）。
【００４１】
一群バネ２１は、圧縮コイルバネであり、固定枠２の前端面と外一群枠１８の後面部間に圧縮状態で挿入される。従って、一群バネ２１の付勢力によって外一群枠１８のカムフォロア１８ｃと後一群枠１９のカム溝１９ｃとの係合ガタ、後一群枠１９のカム溝１９ｄと前移動枠１５のカムフォロア１５ｄとの係合ガタ、さらに、後移動枠１６のカムフォロア１６ｃとカム枠１３のカム溝１３ｃとの係合ガタがそれぞれ取り除かれる。
【００４２】
駆動環２３は、リング形状の枠部材であり、前方突起部２３ａに光軸Ｏ方向前方に延出する駆動キー２４がビス６４により固着される。駆動環２３は、固定枠２の後方部にて光軸Ｏ方向の移動規制状態、かつ、回転可能に支持されており、フォーカシング時にはフォーカス駆動モータ２８によって回転駆動される。
【００４３】
駆動キー２４の先端部は、後一群枠１９のキー溝１９ｂにガタなく摺動可能に嵌入する。従って、駆動環２３が回転駆動されると、後一群枠１９が回転駆動され、後一群枠１９と前移動枠１５との相対位置が変化するとともに、後一群枠１９に対する前一群枠１７および外一群枠１８の相対位置も変化する。
【００４４】
二群枠２５は、径方向の三方に突出する腕部をもつ円筒形状の枠部材からなり、二群レンズ４３を保持しており、前面部には絞り駆動モータ２７を有し、開閉可能な絞り羽根を備えた絞りユニット２６が装着されている。二群枠２５の外方に突出する３つの腕部にカムフォロア２５ｄが配されている。
【００４５】
カムフォロア２５ｄは、固定枠２の直進溝２ａを挿通し、カム枠１３の二群枠用カム溝１３ｄに係合する。従って、カム枠１３が回転駆動されると、二群枠２５は、カムフォロア２５ｄのカムフォロア根元ガイド部が固定枠２の直進溝２ａによって直進ガイドされた状態のもとでカムフォロア２５ｄを介してカム溝１３ｄにより光軸Ｏ方向に進退駆動される。
【００４６】
ここで、枠部材の進退機構として設けられるカム溝と該カム溝に係合するカムフォロアの形状について説明する。
【００４７】
まず、カム枠１３のカム溝１３ｃとそのカム溝に係合する後移動枠１６のカムフォロア１６ｃの形状について、図１３、図１６〜１８を用いて説明する。
【００４８】
図１３は、カム枠１３のカム溝１３ｃと後移動枠１６のカムフォロア１６ｃの係合部分のカム筋直交断面に沿った断面上の断面図である。図１６は、カム枠１３のカム溝部内周面を型抜き方向から見た断面図である。図１７は、カム枠１３のカム溝１３ｃに係合する後移動枠１６のカムフォロア１６ｃの斜視図である。図１８は、後移動枠１６のカムフォロア１６ｃの形状を示す図であって、図１８（Ａ）は、カムフォロア１６ｃを外周側から見た図であり、図１８（Ｂ）は、図１８（Ａ）のＥ矢視図である。
【００４９】
なお、上記カム筋直交断面とは、カム溝１３ｃのカム溝軌跡であるカム筋１３ｃ０に直交し、係合するカムフォロア１６ｃのテーパ面に関する円錐軸１６ｃ０（後述）を含む面である。
【００５０】
カム溝１３ｃは、レンズ鏡筒１のズーミング進退特性から図１６に示すようにズーミング範囲の中央部が光軸Ｏの後方側に凸となるカム筋１３ｃ０を有している。従って、カム溝１３ｃのための型割線Ｌ１とＬ２の間でカム溝１３ｃの前方側カム斜面１３ｃ１側は、中心部が最も抜き勾配が小さくなり、全体的に後方側カム斜面１３ｃ２に比較してカム面を立てる（すなわち、抜き勾配を小さくする）ことができる。
【００５１】
そこで、本実施形態では、後述するようにカム溝１３ｃの第一のカム斜面である前方側カム斜面１３ｃ１と第二のカム斜面である後方側カム斜面１３ｃ２の傾斜角を異なった形状とし、さらに、カム枠１３の構造上からカム斜面１３ｃ１，１３ｃ２の壁面長さも変える。このような構造を採用することによって上記カム溝とカムフォロアとが衝撃を受けた場合でもカムフォロアをカム溝から外れにくくして耐衝撃性を向上させている。
【００５２】
詳しくは、カム枠１３のカム溝１３ｃは、カムフォロア１６ｃの前方側テーパ面１６ｃ１および後方側テーパ面１６ｃ２と係合し、摺接（摺動）可能な断面を有している。そして、図１３に示すように光軸Ｏ方向前面側と後面側の一対の摺接面である前方側カム斜面１３ｃ１と後方側カム斜面１３ｃ２とは、カム筋１３ｃ０直交断面上、後述する後移動枠１６のカムフォロア１６ｃのテーパ面に対応した異なる第一の傾斜角θ１、第二の傾斜角θ２を有しており、傾斜角θ１とθ２は、θ１＜θ２とする。具体的に例えば、θ１＝５°とし、θ２＝１５°とする。
【００５３】
また、カム溝１３ｃの前面側カム斜面１３ｃ１と後面側カム斜面１３ｃ２の光軸Ｏに向かう方向に沿った壁面長さＨ１とＨ２が異なっている。すなわち、前方側カム斜面１３ｃ１の光軸Ｏに向かう方向への壁面長さＨ１は、カムフォロア１６ｃの高さに対応した後移動枠１６の外周までの長さとする。後方側カム斜面１３ｃ２の光軸Ｏに向かう方向への壁面長さＨ２は、後移動枠１６の外周と干渉しないのでカムフォロア１６ｃの高さ、すなわち、摺接面高さよりも長く（深く）、壁面長さＨ１よりも長くなっている。
【００５４】
後移動枠１６のカムフォロア１６ｃは、カム溝１３ｃのカム斜面に係合可能な形状を有しており、図１７，１８に示すように摺接面として異なる円錐面からなる光軸Ｏ方向前方側の第一のテーパ面である前方側テーパ面１６ｃ１と光軸Ｏ方向後方側の第二のテーパ面である後方側テーパ面１６ｃ２とを有している。すなわち、前方側テーパ面１６ｃ１と後方側テーパ面１６ｃ２とは、光軸Ｏに直交する円錐軸１６ｃ０を共有し、頂角および頂点位置が異なる部分円錐面からなる。円錐軸１６ｃ０と前方側テーパ面１６ｃ１とがなす第一のテーパ角である傾斜角θ１と、円錐軸１６ｃ０と後方側テーパ面１６ｃ２とがなす第二のテーパ角である傾斜角θ２とは、上述したカム溝１３ｃのカム斜面の傾斜角に一致し、θ１＜θ２とし、具体的に例えば、θ１＝５°とし、θ２＝１５°とする。上述のようにθ１とθ２とが異なることにより前方側テーパ面１６ｃ１と後方側テーパ面１６ｃ２のカムフォロア周方向接合部に外周段差部１６ｃ３が両側に形成される。
【００５５】
外周段差部１６ｃ３は、カム溝１３ｃが図１６に示すように両回転方向にカム筋１３ｃ０が光軸Ｏ方向に凹状対称形状であることからカムフォロアの外周上にて後移動枠周方向の両側に配される。
【００５６】
また、前方側テーパ面１６ｃ１と後方側テーパ面１６ｃ２のカムフォロア上端面における曲率半径Ｒ１とＲ２は、それぞれの円錐面の頂点の位置をずらすことによってＲ１＞Ｒ２とする。このようにＲ１＞Ｒ２とすることによってカムフォロア１６ｃの摺接面根元部での円錐軸からの偏りをなくす。なお、カムフォロア上端面における曲率半径Ｒ１とＲ２は、上述のように必ずしもＲ１＞Ｒ２にする必要はない。
【００５７】
なお、上述したように本実施形態におけるカムフォロア１６ｃには周方向の両側に外周段差部１６ｃ３が形成されている。この段差部１６ｃ３が存在することにより成形のための金型の製作が面倒であり、また、製品としてもエッヂ部が形成されることから取り扱いに難点がある。そこで、カムフォロア１６ｃの変形例として図１９，２０に示すカムフォロア１６Ａｃを提案する。
【００５８】
図１９は、本変形例のカムフォロア１６Ａｃの斜視図である。図２０は、後移動枠１６Ａのカムフォロア１６Ａｃの形状を示す図であって、図２０（Ａ）は、カムフォロア１６Ａｃを外周側から見た図であり、図２０（Ｂ）は、図２０（Ａ）のＦ矢視図である。
【００５９】
本変形例のカムフォロア１６Ａｃは、カムフォロア１６ｃの外周段差部１６ｃ３に替えて外周突部１６Ａｃ３を設けたものである。その他の形状として前方側テーパ面１６Ａｃ１、後方側テーパ面１６Ａｃ２、また、上端面の曲率半径Ｒ１とＲ２、さらに、円錐軸１６Ａｃ０等は、カムフォロア１６ｃと同一とする。
【００６０】
本変形例のカムフォロア１６Ａｃの外周突部１６Ａｃ３は、所定の曲率の部分円柱面（または、円錐面）からなる。従って、カムフォロア１６Ａｃ部を成形する金型部は、面倒、または、煩雑な加工を必要としない簡単な金型部となる。また、製品としてもエッジ部がなく取り扱いが容易になる。
【００６１】
次に、後一群枠１９のカム溝１９ｄとそのカム溝に係合する前移動枠１５のカムフォロア１５ｄの形状について、図１４、図２１〜２３を用いて説明する。
【００６２】
図１４は、後一群枠１９のカム溝１９ｄと前移動枠１５のカムフォロア１５ｄの係合部分のカム筋直交断面に沿った断面上の断面図である。図２１は、後一群枠１９の外周面を型抜き方向から見た図である。図２２は、前移動枠１５のカムフォロア１５ｄの斜視図である。図２３（Ａ），（Ｂ）は、前移動枠１５のカムフォロア１５ｄの形状を示す図であって、図２３（Ａ）は、カムフォロア１５ｄを外周側から見た図であり、図２３（Ｂ）は、図２３（Ａ）のＧ−Ｇ断面図である。
【００６３】
なお、上記カム筋直交断面とは、カム溝１９ｄのカム溝軌跡であるカム筋１９ｄ０に直交し、係合するカムフォロア１５ｄのテーパ面に関する円錐軸１５ｄ０（後述）を含む面である。
【００６４】
後一群枠１９のカム溝１９ｄは、レンズ鏡筒１のフォーカシング進退特性から図２１に示すように時計回り（前方から見て）に回転したとき、常に前方側に変位するカム筋１９ｄ０を有している。さらに、図２１に示すように後一群枠１９の型抜き中心線（光軸Ｏに重なる）から光軸Ｏ方向の後方側カム斜面１９ｄ２の反時計回り側（前方から見て、フォーカシング範囲の至近側）の端部までの距離（図２１上にて下方向）Ｋ２は、光軸Ｏ方向の前方側カム斜面１９ｄ１の時計回り側（前方から見て、フォーカシング範囲の無限遠側）の端部までの距離（図２１上で上方向）Ｋ１よりも短い。
【００６５】
本実施形態の場合、後方側カム斜面１９ｄ２の抜き勾配は、ある程度の抜き勾配があれば成形上の不都合は無く、金型からの離型は問題がない。しかし、カム筋１９ｄ０のＫ１部分の終端部が型抜き中心線から遠く、該終端部の前方側カム斜面１９ｄ１の抜き勾配は該中心線の型抜き勾配より大きくしなければ金型からの型抜き（離型）上のアンダーカットを生じてしまう。従って、後方側カム斜面１９ｄ２の抜き勾配に比べ、前方側カム斜面１９ｄ１の抜き勾配を大きくしなければならないため、ここでは、第１の傾斜角というべき前方側カム斜面１９ｄ１のカム斜面（抜き勾配）は、第２の傾斜角というべき後方側カム斜面１９ｄ２のカム斜面（抜き勾配）より大きい。
【００６６】
そこで、本実施形態では、後述するようにカム溝１９ｄの前方側カム斜面１９ｄ１と後方側カム斜面１９ｄ２の傾斜を異なった形状を採用して、上記カム溝と上記カムフォロアとが衝撃を受けた場合、上記カムフォロアが上記カム溝から外れにくい構造としている。
【００６７】
詳しくは、後一群枠１９のカム溝１９ｄは、前移動枠１５のカムフォロア１５ｄと係合するが、図１４に示すように光軸Ｏ方向前面側と後面側の一対の摺接面である前方側カム斜面１９ｄ１と後方側カム斜面１９ｄ２とのカム筋１９ｄ０直交断面上の第一の傾斜角θ３と第二の傾斜角θ４とが異なり、θ３＞θ４とする。具体的に例えば、θ３＝２０°とし、θ４＝１５°とする。
【００６８】
前移動枠１５のカムフォロア１５ｄは、上述したカム溝１９ｄのカム斜面に係合可能な形状を有しており、図２２，２３に示すように摺接面として異なる円錐面からなる光軸Ｏ方向前方側の第一のテーパ面である前方側テーパ面１５ｄ１と光軸Ｏ方向後方側の第二のテーパ面である後方側テーパ面１５ｄ２とを有している。すなわち、前方側テーパ面１５ｄ１と後方側テーパ面１５ｄ２とは、光軸Ｏと直交する円錐軸１５ｄ０を共有し、頂角および頂点位置が異なる部分円錐面からなる。円錐軸１５ｄ０と前方側テーパ面１５ｄ１とがなす第一のテーパ角である傾斜角θ３と、円錐軸１５ｄ０と後方側テーパ面１５ｄ２とがなす第二のテーパ角である傾斜角θ４とは、上述したカム溝１９ｄのカム斜面の傾斜角に一致し、θ３＞θ４とする。
【００６９】
また、前方側テーパ面１５ｄ１と後方側テーパ面１５ｄ２のカムフォロア上端面における曲率半径Ｒ３とＲ４は、Ｒ３＝Ｒ４とするが、上述したように傾斜角（テーパ角）が異なるために前方側テーパ面１５ｄ１と後方側テーパ面１５ｄ２のカムフォロア上端から根元部に向けて外周段差部１５ｄ３が両側に存在する（図２２，２３）。両側の外周段差部１５ｄ３は、カム溝１９ｄが図２１に示すようにカム筋１９ｄ０が周方向に関して一方に傾くことから上記傾きに合わせた方向にカムフォロア外径の両側に前移動枠周方向に対してわずかに傾いて形成される。
【００７０】
なお、上述したように本実施形態におけるカムフォロア１５ｄには両側に外周段差部１５ｄ３が形成されている。この段差部１５ｄ３が存在することのより成形のための金型の製作が面倒になり、また、製品としてもエッジ部が形成されることから取り扱いに難点がある。そこで、カムフォロア１５ｄの変形例として図２４，２５に示すカムフォロア１５Ａｄを提案する。
【００７１】
図２４は、図２２のカムフォロア１５ｄに対する変形例のカムフォロア１５Ａｄの斜視図である。図２５は、図２４のカムフォロア１５Ａｄの形状を示す図であって、図２５（Ａ）は、カムフォロア１５Ａｄを内周側から見た図であり、図２５（Ｂ）は、図２５（Ａ）のＨ−Ｈ断面図である。
【００７２】
本変形例である前移動枠１５Ａのカムフォロア１５Ａｄは、カムフォロア１５ｄの外周段差部１５ｄ３をカットした形状の外周平面部１５Ａｄ３を設けたものである。その他の形状として前方側テーパ面１５Ａｄ１、後方側テーパ面１５Ａｄ２、また、上端面の曲率半径Ｒ３とＲ４、さらに、円錐軸１５Ａｄ０等は、カムフォロア１５ｄの場合と同一とする。
【００７３】
本変形例のカムフォロア１５Ａｄの両側面が段差部ではなく外周平面部１５Ａｄ３であることからカムフォロア１５Ａｄ部分を成形する金型部は、煩雑な加工を必要とせず、簡単な金型部となる。また、製品としてもエッヂ部がなく取り扱いが容易になる。
【００７４】
次に、後一群枠１９のカム溝１９ｃとそのカム溝に係合する外一群枠１８のカムフォロア１８ｃの形状について、図１５および図２１（前述）を用いて説明する。
【００７５】
図１５は、後一群枠１９のカム溝１９ｃと外一群枠１８のカムフォロア１８ｃの係合部分のカム筋直交断面に沿った断面図である。
【００７６】
なお、上記カム筋直交断面とは、カム溝１９ｃのカム筋１９ｃ０に直交し、係合するカムフォロア１８ｃのテーパ面に関する円錐軸１８ｃ０（後述）を含む面である。
【００７７】
後一群枠１９のカム溝１９ｃは、レンズ鏡筒１のフォーカシング進退特性から図２１に示すように時計回り（前方から見て）に回転したとき、常に前方側に変位するカム筋１９ｃ０を有し、また、後一群枠１９の型抜き中心線（光軸Ｏに重なる）から反時計回り側と時計回り側とで略同一距離範囲に形成されている。第一のカム斜面である前方側カム斜面１９ｃ１と第二のカム斜面である後方側カム斜面１９ｃ２とは、同一の抜き勾配を設けることができる。すなわち、前方側カム斜面１９ｃ１の傾斜角θ５と後方側カム斜面１９ｃ２の傾斜角θ６とを等しくする。具体的に例えば、θ３＝θ４＝１５°とする。
【００７８】
一方、後一群枠１９の構造上、前方側カム斜面１９ｃ１の光軸Ｏに向かう方向の壁面長さＨ５は、外一群枠１８の内径までの寸法であって、カムフォロア１８ｃの外一群枠１８の内径側への高さと略同一である。一方、後方側カム斜面１９ｃ２の光軸Ｏに向かう方向の壁面長さＨ６は、外一群枠１８の外径に干渉しないのでカムフォロア１８ｃの外一群枠１８の径方向の長さよりも長く（深く）することができ、Ｈ６＞Ｈ５となっている。
【００７９】
外一群枠１８のカムフォロア１８ｃは、上述したカム溝１９ｃのカム斜面に係合可能な形状を有しており、図１５に示すように摺接面として光軸Ｏと直交する円錐軸１８ｄ０をもつ単一の円錐台の円錐面からなるテーパ面１８ｃ１を有している。すなわち、カムフォロアの全周面一定の傾斜角（テーパ角）θ５（＝θ６）を有している。
【００８０】
上述した構成を有するレンズ鏡筒１におけるズーミング動作およびフォーカシング動作について説明する。ズーミング動作時、ズーム環１１を回転操作すると、ズームピン３６を介してカム枠１３が回転する。カム枠１３の回転により二群枠２５が絞りユニット２６とともに回転規制状態で二群枠用カム溝１３ｄにより光軸Ｏ方向に移動し、二群レンズ４３がズーム操作対応のズーミング位置に移動する。
【００８１】
さらに、上記カム枠１３の回転に伴って、後移動枠１６が前移動枠１５ともに回転規制状態でカム溝１３ｃにより光軸Ｏ方向に移動する。駆動環２３が静止しており、駆動キー２４により回転規制された状態の後一群枠１９は、前移動枠１５の進退によりカムフォロア１５ｄを介して光軸Ｏ方向に移動する。後一群枠１９の進退に伴って、回転規制状態の外一群枠１８および一体結合の前一群枠１７は、カムフォロア１８ｃを介して光軸Ｏ方向に移動する。これらの枠移動によって前一群レンズ４１と後一群レンズ４２がともにズーム操作対応のズーミング位置に移動する。
【００８２】
図２６は、レンズ鏡筒１の無限遠合焦状態におけるワイド（ＺＷ）からズーム標準（ＺＳ）を経てテレ（ＺＴ）までの各ズーミング状態における前一群レンズ、後一群レンズ、二群レンズの繰り出し状態を示す図である。ズーム環１１を時計回り（前方からみて）に回動操作し、本図に示すようにＺＷ状態からＺＳ状態にズーミングすると、前一群枠１７に保持される前一群レンズ４１および後一群枠１９に保持される後一群レンズ４２は、光軸Ｏ方向に僅かに後退し、二群レンズ４３は、光軸Ｏ方向に前進する。さらに、ＺＳ状態からＺＴ状態にズーミングすると、前一群レンズ４１および後一群レンズ４２は、光軸Ｏ方向に僅かに前進し、二群レンズ４３は、光軸Ｏ方向にさらに前進する。
【００８３】
一方、フォーカシング動作時において、レンズ鏡筒１が装着されたカメラの制御部より出力されるフォーカシング駆動信号、すなわち、マニュアル動作時、距離環１２を回転操作したときの距離環回転操作信号が上記フォトインタラプタを介してカメラ側制御部に取り込まれ、フォーカシング駆動信号が出力される。また、ＡＦ動作時にはカメラ側制御部よりフォーカシング駆動信号が出力される。上記フォーカシング駆動信号は、レンズ鏡筒１側に取り込まれ、フォーカス駆動モータ２８が回転駆動される。フォーカス駆動モータ２８により駆動環２３が回転駆動され、駆動キー２４を介して後一群枠１９が回転する。後一群枠１９の回転に伴って、後一群枠１９自体がカム溝１９ｄによって前移動枠１５に対して光軸Ｏ方向に移動する。同時に後一群枠１９のカム溝１９ｄとカム溝１９ｃの差分により外一群枠１８および前一群枠１７とは後一群枠１９に対して光軸Ｏ方向に相対移動し、固定枠２に対する絶対的な移動量は、後一群枠１９の移動量に上記相対移動量を加えた移動量となる。
【００８４】
図２７は、レンズ鏡筒１のワイド無限遠合焦状態（ＺＷ）からワイド至近合焦状態（ＺＷＮ）にフォーカシングしたときの前一群レンズ、後一群レンズ、二群レンズの繰り出し状態を示す図である。本図に示すようにワイド状態において無限遠合焦状態から至近合焦状態にフォーカシングした場合、前一群枠１７に保持される前一群レンズ４１は、僅かに光軸Ｏ方向に後退し、後一群枠１９に保持される後一群レンズ４２は、光軸Ｏ方向に前進する。なお、二群レンズ４３は、カム枠３が回転しないので光軸Ｏ方向に進退しない。
【００８５】
なお、本実施形態のレンズ鏡筒１において、前カバー４の前方には凹部４ａに装着された防塵モルト３２は、柔らかい発泡体からなる弾性変形可能な柔らかい部材であり、図２に示すようにその先端部が後述する前移動枠１５の後方凹部１５ｅの円周部に当接した状態に保持されることから前カバー４と前移動枠１５との間の隙間を覆い、該隙間からの塵埃の侵入が防止される。
【００８６】
上述した前カバー４と前移動枠１５との間の隙間からの塵埃の侵入を防止するために防塵モルト３２に替えて図２８の前カバー４と前移動枠１５の先端部部分断面図に示すように防塵テープ７１を前移動枠１５の後面側凹部１５ｅに貼付した変形例を提案することもできる。
【００８７】
防塵テープ７１は、不織布等に粘着剤を含浸もしくは塗布して両面に粘着性を持たせた、所謂、両面テープからなり、前移動枠１５の後面側凹部１５ｅに貼付した状態で後面側は露呈している。従って、前カバー４と前移動枠１５との間の隙間ＣＬから侵入した塵埃が防塵テープ７１に吸着するので、防塵モルト３２を適用する場合と異なり、摺動部のない状態で塵埃の侵入を防止することができる。
【００８８】
上述した本実施形態のレンズ鏡筒１によれば、枠部材を進退駆動するためのカム溝およびカムフォロアの摺接面が上述した形状を有していることからレンズ鏡筒１に衝撃力が作用して場合、上記カム溝とカムフォロアの係合が外れにくく、耐衝撃性が向上し、しかも、レンズ鏡筒の小型化も可能となる。
【００８９】
詳しくは、まず、外部に露呈する前移動枠１５に対して光軸Ｏ方向前方への外力、または、衝撃力が作用した場合、その力は、後移動枠１６のカムフォロア１６ｃの前方側テーパ面１６ｃ１と、カム枠１３のカム溝１３ｃの前方側カム斜面１３ｃ１の間の当接力として作用する。しかし、前述したように前方側カム斜面１３ｃ１（前方側テーパ面１６ｃ１）の傾斜角θ１が小さく、言い換えると、従来のカムフォロア、カム溝の摺接面よりも立っているのでカムフォロア１６ｃがカム溝１３ｃから外れにくい。
【００９０】
また、レンズ鏡筒１を落下させ、前移動枠１５に光軸Ｏ方向後方への衝撃力が作用した場合、その衝撃力は、後移動枠１６のカムフォロア１６ｃの後方側テーパ面１６ｃ２と、カム枠１３のカム溝１３ｃの後方側カム斜面１３ｃ２との間の当接力として作用する。しかし、前述したように後方側カム斜面１３ｃ２の光軸Ｏ方向の壁面長さＨ２が長く、言い換えると、カムフォロア摺接面よりも長く、溝が深いのでカムフォロア１６ｃが外れにくい。
【００９１】
また、前一群枠１７に光軸Ｏ方向後方への衝撃力が作用した場合、その衝撃力は、外一群枠１８のカムフォロア１８ｃのテーパ面１８ｃ１と、後一群枠１９のカム溝１９ｃの後方側カム斜面１９ｃ２の間の当接力として作用する。しかし、後方側カム斜面１９ｃ２の光軸Ｏ方向の壁面長さＨ６が長く、言い換えるとカムフォロア摺接面よりも長く、溝が深いのでカムフォロア１８ｃが外れにくい。
【００９２】
さらに、前一群枠１７に光軸Ｏ方向前方への衝撃力が作用した場合、その衝撃力は、外一群枠１８を経て後一群枠１９に伝達され、後一群枠１９のカム溝１９ｄの後方側カム斜面１９ｄ２と、前移動枠１５のカムフォロア１５ｄの後方側テーパ面１５ｄ２との間の当接力として作用する。しかし、前述したように後方側カム斜面１９ｄ２（後方側テーパ面１５ｄ２）の傾斜角θ４が小さく、言い換えると、従来のカムフォロア、カム溝の摺接面よりも立っているのでカムフォロア１５ｄがカム溝１９ｄから外れにくい。
【００９３】
そして、上述したカム溝とカムフォロアとは、摺接面の傾斜を変えたり、あるいは、枠部材の径方向の余分の厚みを増やすことなくカム溝の深さを深くすることで衝撃力に対応していることからレンズ鏡筒の大型化が避けられる。
【００９４】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００９５】
本発明のレンズ鏡筒は、カムフォロアとカム溝を適用する進退駆動機構を備えたレンズ鏡筒において、衝撃力が作用した場合にカムフォロアとカム溝との係合が外れにくく、鏡枠の大型化も避けられるレンズ鏡筒として利用が可能である。
【図面の簡単な説明】
【００９６】
【図１】本発明の一実施形態のレンズ鏡筒の正面図（被写体側から見た図）である。
【図２】図１のレンズ鏡筒のワイド状態におけるＡ−Ａ断面図である。
【図３】図１のレンズ鏡筒のワイド状態におけるＢ−Ｂ断面図である。
【図４】図１のレンズ鏡筒のワイド状態におけるＣ−Ｃ断面図である。
【図５】図１のレンズ鏡筒のマウントおよび電装部材を外した状態を結像側から見た図である。
【図６】図５のＤ−Ｄ断面図である。
【図７】図１のレンズ鏡筒の主要部材の分解斜視図である。
【図８】図１のレンズ鏡筒の後一群枠と駆動環とを結像側から見た分解斜視図である。
【図９】図１のレンズ鏡筒の前カバー、後カバーおよび外枠を結像側から見た斜視図である。
【図１０】図１のレンズ鏡筒の前カバー、後カバーと外枠と分解状態の後移動枠とを前方から見た斜視図である。
【図１１】図１のレンズ鏡筒の前一群枠と外一群枠の分解斜視図である。
【図１２】図１のレンズ鏡筒の外一群枠と前移動枠の分解斜視図である。
【図１３】図１のレンズ鏡筒におけるカム枠のカム溝と後移動枠のカムフォロアの係合部分のカム筋直交断面に沿った断面図である。
【図１４】図１のレンズ鏡筒における後一群枠のカム溝と前移動枠のカムフォロアの係合部分のカム筋直交断面に沿った断面図である。
【図１５】図１のレンズ鏡筒における後一群枠のカム溝と外一群枠のカムフォロアの係合部分のカム筋直交断面に沿った断面図である。
【図１６】図１のレンズ鏡筒におけるカム枠のカム溝部内周面を型抜き方向から見た断面図である。
【図１７】図１のレンズ鏡筒におけるカム枠のカム溝に係合する後移動枠のカムフォロアの斜視図である。
【図１８】図１７のカムフォロアの形状を示す図であって、図１８（Ａ）は、上記カムフォロアを外周側から見た図であり、図１８（Ｂ）は、図１８（Ａ）のＥ矢視図である。
【図１９】図１７のカムフォロアに対する変形例のカムフォロアの斜視図である。
【図２０】図１９の変形例のカムフォロアの形状を示す図であって、図２０（Ａ）は、上記カムフォロアを外周側から見た図であり、図２０（Ｂ）は、図２０（Ａ）のＦ矢視図である。
【図２１】図１のレンズ鏡筒における後一群枠の外周面を型抜き方向から見た図である。
【図２２】図１のレンズ鏡筒における前移動枠のカムフォロアの斜視図である。
【図２３】図２２のカムフォロアの形状を示す図であって、図２３（Ａ）は、上記カムフォロアを外周側から見た図であり、図２３（Ｂ）は、図２３（Ａ）のＧ−Ｇ断面図である。
【図２４】図２２のカムフォロア１５ｄに対する変形例のカムフォロア１５Ａｄの斜視図である。
【図２５】図２４の変形例のカムフォロアの形状を示す図であって、図２５（Ａ）は、上記カムフォロアを内周側から見た図であり、図２５（Ｂ）は、図２５（Ａ）のＨ−Ｈ断面図である。
【図２６】図１のレンズ鏡筒１の無限遠合焦状態におけるワイド（ＺＷ）からスタンダード（ＺＳ）を経てテレ（ＺＴ）までの各ズーミング状態における前一群レンズ、後一群レンズ、二群レンズの繰り出し状態を示す図である。
【図２７】レンズ鏡筒１のワイド無限遠合焦状態（ＺＷ）からワイド至近合焦状態（ＺＷＮ）にフォーカシングしたときの前一群レンズ、後一群レンズ、二群レンズの繰り出し状態を示す図である。
【図２８】図２に示したレンズ鏡筒に適用される防塵モルトの変形例として防塵テープを適用した場合の前カバーと前移動枠の先端部部分断面図である。
【符号の説明】
【００９７】
１３…カム枠（第二の枠）
１３ｃ…カム溝
１３ｃ１…前方側カム斜面（第一のカム斜面）
１３ｃ２…後方側カム斜面（第二のカム斜面）
１５…前移動枠（第一の枠）
１５ｄ…カムフォロア
１５ｄ１…前方側テーパ面（第一のテーパ面）
１５ｄ２…後方側テーパ面（第二のテーパ面）
１６…後移動枠（第一の枠）
１６ｃ…カムフォロア
１６ｃ１…前方側テーパ面（第一のテーパ面）
１６ｃ２…後方側テーパ面（第二のテーパ面）
１８…外一群枠（第一の枠）
１８ｃ…カムフォロア
１９…後一群枠（第二の枠）
１９ｃ，１９ｄ…カム溝
１９ｃ１，１９ｄ１…前方側カム斜面
（第一のカム斜面）
１９ｃ２，１９ｄ２…後方側カム斜面
（第二のカム斜面）
Ｈ１，Ｈ５…第一のカム斜面の壁面長さ
Ｈ２，Ｈ６…第二のカム斜面の壁面長さ
θ１，θ３…第一のテーパ角、または、傾斜角
θ２，θ４…第二のテーパ角、または、傾斜角
【図１】
2010026322.tif 000003
【図２】
2010026322.tif 000004
【図３】
2010026322.tif 000005
【図４】
2010026322.tif 000006
【図５】
2010026322.tif 000007
【図６】
2010026322.tif 000008
【図７】
2010026322.tif 000009
【図８】
2010026322.tif 000010
【図９】
2010026322.tif 000011
【図１０】
2010026322.tif 000012
【図１１】
2010026322.tif 000013
【図１２】
2010026322.tif 000014
【図１３】
2010026322.tif 000015
【図１４】
2010026322.tif 000016
【図１５】
2010026322.tif 000017
【図１６】
2010026322.tif 000018
【図１７】
2010026322.tif 000019
【図１８】
2010026322.tif 000020
【図１９】
2010026322.tif 000021
【図２０】
2010026322.tif 000022
【図２１】
2010026322.tif 000023
【図２２】
2010026322.tif 000024
【図２３】
2010026322.tif 000025
【図２４】
2010026322.tif 000026
【図２５】
2010026322.tif 000027
【図２６】
2010026322.tif 000028
【図２７】
2010026322.tif 000029
【図２８】
2010026322.tif 000030